(57)【要約】【課題】浴槽の側壁の外側面に当接する当接面が下方に行きすぎないようにする浴槽用手摺りを提供することにある。【解決手段】浴槽用手摺り１は、浴槽ＢＴの側壁ＢＥのエプロンＢＥを有する外側面に当接する第一当接面と、側壁ＢＥの外側面とは反対側の内側面に当接する第二当接面と、連結部４と、連結部４に設けられる手摺部５と、を備える。連結部４は、第一当接面と第二当接面とを連結する。第一当接面と第二当接面とは、相互に近接または離反されて側壁ＢＥを押圧挟持するものである。連結部４は、外側面に対向して第一当接面を支持する第一の側片４１と、内側面に対向して第二当接面を支持する第二の側片４２と、側壁ＢＥの上端面上に位置して第一の側片４１と第二の側片４２とを連結する連結片と、を備える。第一当接面は横長矩形状であってその下端は、エプロンＢＥにかからない位置にある。【選択図】図６
2018198962.tif 000002
【特許請求の範囲】
【請求項１】
浴槽の側壁のエプロンを有する外側面に当接する第一当接面と、
前記側壁の前記外側面とは反対側の内側面に当接する第二当接面と、
前記第一当接面と前記第二当接面とを連結する連結部と、
前記連結部に設けられる手摺部と、を備え、
前記第一当接面と前記第二当接面とは、相互に近接または離反されて前記側壁を押圧挟持するものであり、
前記連結部は、前記外側面に対向して前記第一当接面を支持する第一の側片と、前記内側面に対向して前記第二当接面を支持する第二の側片と、前記側壁の上端面上に位置して前記第一の側片と前記第二の側片とを連結する連結片と、を備え、
前記第一当接面は横長矩形状であってその下端は、前記エプロンにかからない位置にあることを特徴とする浴槽用手摺り。
【請求項２】
前記第二当接面の下端は、前記第一当接面の下端よりも下側に位置し、前記第二当接面の上下長さは、前記第一当接面の上下長さよりも長いことを特徴とする請求項１記載の浴槽用手摺り。
【請求項３】
前記第二当接面は、前記第二の側片に対する姿勢が可変となるように支持されていることを特徴とする請求項１または２記載の浴槽用手摺り。
【請求項４】
前記第一当接面の下側に、前記第一当接面よりも前記外側面から離れる方に位置する予備面が設けられていることを特徴とする請求項１乃至３のいずれか一項に記載の浴槽用手摺り。
【請求項５】
前記連結部の前記第一の側片に、床面に載置される支持脚が固定されていることを特徴とする請求項１乃至４のいずれか一項記載の浴槽用手摺り。
【請求項６】
前記第一当接面の下端は、前記連結片より下方４ｃｍ位置よりも上側に位置することを特徴とする請求項１乃至４のいずれか一項に記載の浴槽用手摺り。
【発明の詳細な説明】
【技術分野】
【０００１】
本発明は、浴槽用手摺りに関し、詳しくは、浴槽の側壁に着脱自在に取り付けられる浴槽用手摺りに関する。
【背景技術】
【０００２】
従来、浴槽の側壁に取り付けられる浴槽用手摺りが用いられている（例えば特許文献１参照）。浴槽用手摺りは、浴槽の側壁の第一の側面（例えば洗い場側の面）に当接する押圧部と、第二の側面（例えば浴槽内側の面）に当接する押圧受け部と、押圧部と押圧受け部とを連結する連結部と、連結部に設けられる手摺部と、を備えている。
【先行技術文献】
【特許文献】
【０００３】
【特許文献１】特開２００４−２６１３２７号公報
【発明の概要】
【発明が解決しようとする課題】
【０００４】
ところで、近年の浴槽は樹脂製のものが多く利用されている。そして、樹脂製の浴槽の側壁の大部分は、内部に空洞が存在し、第一の側面側の側壁部と第二の側面側の側壁部とは、上端のフランジ部にて連結されている。このとき、浴槽の側壁と、押圧部との当接箇所が下方へ行く程、曲げモーメントが大きくなって撓みが増大し、浴槽の側壁にかかる負担が増加してしまうものであった。
【０００５】
本発明は上記従来の問題点に鑑みて発明したものであって、その目的とするところは、浴槽の側壁の外側面に当接する当接面が下方に行きすぎないようにする浴槽用手摺りを提供することにある。
【課題を解決するための手段】
【０００６】
本発明に係る浴槽用手摺りは、浴槽の側壁のエプロンを有する外側面に当接する第一当接面と、前記側壁の前記外側面とは反対側の内側面に当接する第二当接面と、前記第一当接面と前記第二当接面とを連結する連結部と、前記連結部に設けられる手摺部と、を備え、前記第一当接面と前記第二当接面とは、相互に近接または離反されて前記側壁を押圧挟持するものであり、前記連結部は、前記外側面に対向して前記第一当接面を支持する第一の側片と、前記内側面に対向して前記第二当接面を支持する第二の側片と、前記側壁の上端面上に位置して前記第一の側片と前記第二の側片とを連結する連結片と、を備え、前記第一当接面は横長矩形状であってその下端は、前記エプロンにかからない位置にあることを特徴とする。
【０００７】
また、前記第二当接面の下端は、前記第一当接面の下端よりも下側に位置し、前記第二当接面の上下長さは、前記第一当接面の上下長さよりも長いことが好ましい。
【０００８】
また、前記第二当接面は、前記第二の側片に対する姿勢が可変となるように支持されていることが好ましい。
【０００９】
また、前記第一当接面の下側に、前記第一当接面よりも前記外側面から離れる方に位置する予備面が設けられていることが好ましい。
【００１０】
また、前記連結部の前記第一の側片に、床面に載置される支持脚が固定されていることが好ましい。
【００１１】
また、前記第一当接面の下端は、前記連結片より下方４ｃｍ位置よりも上側に位置することが好ましい。
【発明の効果】
【００１２】
本発明にあっては、浴槽の側壁の外側面に当接する当接面が下方へ行きすぎることにより、浴槽の側壁にかかる負担が増加するのが抑制される。
【図面の簡単な説明】
【００１３】
【図１】第一実施形態の浴槽用手摺りの正面側の上方より見た斜視図である。
【図２】第一実施形態の浴槽用手摺りの正面側の下方より見た斜視図である。
【図３】第一実施形態の浴槽用手摺りの背面側の上方より見た斜視図である。
【図４】第一実施形態の浴槽用手摺りの背面側の下方より見た斜視図である。
【図５】第一実施形態の浴槽用手摺りの正面図である。
【図６】第一実施形態の浴槽用手摺りの側面図である。
【図７】第一実施形態の浴槽用手摺りの背面図である。
【図８】第一実施形態の浴槽用手摺りの平面図である。
【図９】第一実施形態の浴槽用手摺りの底面図である。
【図１０】第一実施形態の押圧側可動部の背面側の上方より見た斜視図である。
【図１１】第一実施形態の位置調節部を除く押圧部ユニットを示し、（ａ）は背面側の上方より見た斜視図であり、（ｂ）は背面側の上方より見た分解斜視図である。
【図１２】第一実施形態の受け側可動部（押圧受け部ユニット）を示し、（ａ）は背面側の上方より見た斜視図であり、（ｂ）は背面側の上方より見た分解斜視図である。
【図１３】第一実施形態の手摺部を示し、（ａ）は背面側の上方より見た斜視図であり、（ｂ）は背面側の上方より見た分解斜視図である。
【図１４】第一実施形態の支持脚を示し、（ａ）は背面側の上方より見た斜視図であり、（ｂ）は背面側の上方より見た分解斜視図である。
【図１５】第一実施形態の位置調節部を示し、（ａ）は背面側の上方より見た斜視図であり、（ｂ）は背面側の上方より見た分解斜視図である。
【図１６】第一実施形態のカバーを備えた浴槽用手摺りが浴槽の側壁に取り付けられた状態を示す斜視図である。
【発明を実施するための形態】
【００１４】
本発明の浴槽用手摺り１について、図１乃至図１５に示す第一実施形態に基いて説明する。本発明の浴槽用手摺り１は、浴槽の側壁に着脱自在に取り付けられる。側壁に取り付けられた浴槽用手摺り１は、入浴者や介助者等をはじめとする使用者が、浴槽への出入りの際に側壁を跨ぐ時に、使用者が掴むものである。なお、使用者が側壁を跨ぐ時以外に掴んでも勿論よい。
【００１５】
浴槽用手摺り１が取り付けられる浴槽の側壁としては、設計上、主に、浴室の洗い場に面する側壁が想定されている。なお、浴槽用手摺り１が取り付けられる浴槽の側壁は、特に洗い場に面する側壁に限定されず、浴室壁との間に、浴槽用手摺り１が設置され得る空間を有する側壁であればよい。
【００１６】
浴槽用手摺り１は、図１乃至図９に示すように、側壁の第一の側面に当接する押圧部２と、側壁の第一の側面と反対側の第二の側面に当接する押圧受け部３と、押圧部２と押圧受け部３とを連結する連結部４と、を備える。ここで、設計上、押圧部２が当接する第一の側面としては、洗い場側の側面が想定され、押圧受け部３が当接する第二の側面としては、浴槽内側の側面が想定されている。なお、第一の側面は、浴槽内側の側面でもよく、洗い場側の側面に限定されず、また、第二の側面は、洗い場側の側面でもよく、浴槽内側の側面に限定されない。以下の説明においては、図１乃至図４に示すように、浴槽用手摺り１が浴槽の側壁に取り付けられた状態で、第一の側面に対応する方（洗い場に対応する方）を前方（矢印Ｆ）、第二の側面に対応する方（浴槽内に対応する方）を後側（矢印Ｂ）とする。また、左方および右方は、前側から後側を見た時の左方（矢印Ｌ）および右方（矢印Ｒ）をいうものとする。
【００１７】
まず、全体の構成について説明する。押圧部２は、板状やブロック状等、形状は特に限定されないが、側壁の第一の側面との当接面積が大きくとれ、且つ、薄肉で小型化や軽量化を可能とする、板状が好ましい。第一実施形態では、図３、図４に示すように、側壁の第一の側面との当接面２１が横長の矩形状をしているが、楕円状等、他の形状でもよく、特に限定されない。
【００１８】
押圧受け部３は、押圧部２と同様に、板状やブロック状等、形状は特に限定されないが、第二の側面との当接面積が大きくとれ、且つ、薄肉で小型化や軽量化を可能とする、板状が好ましい。第一実施形態では、図１、図２に示すように、側壁の第一の側面との当接面３１が矩形状をしているが、楕円状等、他の形状でもよく、特に限定されない。
【００１９】
押圧部２と押圧受け部３は、側壁の前後両側、すなわち第一の側面と第二の側面とを挟持する。押圧部２と押圧受け部３とを連結する連結部４が、押圧部２と押圧受け部３とで側壁を挟持する挟持力を伝達する。押圧部２と押圧受け部３については、後で更に説明する。
【００２０】
連結部４は、図３、図４に示すように、浴槽用手摺り１が側壁に取り付けられた時に第一の側面に対向し、押圧部２を支持する第一の側片４１を備える。押圧部２は、第一の側片４１に対する姿勢、すなわち向きが、可変となるように支持されてもよいし、第一の側片４１に対する姿勢が不変となるように固定されてもよい。
【００２１】
また連結部４は、図３、図４に示すように、浴槽用手摺り１が側壁に取り付けられた時に第二の側面に対向し、押圧受け部３を支持する第二の側片４２を備える。押圧受け部３は、第二の側片４２に対する姿勢、すなわち向きが、可変となるように支持されてもよいし、第二の側片４２に対する姿勢が不変となるように固定されてもよい。
【００２２】
また連結部４は、図１、図２に示すように、浴槽用手摺り１が側壁に取り付けられた時に側壁の上端面上に位置し、第一の側片４１と第二の側片４２とを連結する連結片４３を備える。連結片４３は、浴槽用手摺り１が側壁に取り付けられた時に、側壁の上端面上に載置されてもよいし、側壁の上端面から上方に離れて位置してもよい。
【００２３】
また連結部４は、浴槽用手摺り１が側壁に取り付けられた時に、第一の側片４１と第二の側片４２と連結片４３とが相対的に移動しないように固定する。ただしこの場合、第一の側片４１、第二の側片４２、連結片４３の弾性変形による若干の移動は構わない。連結部４は、別部材で形成されたものが固定されてもよいし、一体的に形成されてもよい。
【００２４】
また連結部４は、第一の側片４１と第二の側片４２とが相対的に移動可能となるように構成されてもよい。この場合、連結部４が二個、または、三個、または四個以上の複数個の部材で構成され、これらの部材が相対的に移動してもよいが、特に限定されない。第一実施形態では、図１乃至図３に示すように、連結片４３が、第一の側片４１に連結される第一の連結片４３ａと、第二の側片４２に連結される第二の連結片４３ｂと、を備える。そして、第一の連結片４３ａと第二の連結片４３ｂとが異なる位置関係での連結が可能とされているが、特にこのようにされていなくてもよい。連結部４については、後で更に説明する。
【００２５】
浴槽用手摺り１は、図１乃至図４、図１３に示すように、手摺部５を備える。手摺部５は、使用者が手で把持する把持部５１を備えていればよく、形状等は特に限定されない。
【００２６】
第一実施形態では、把持部５１は、図１３に示すように、平面視において前後方向に長い長円状をしており、左右の直線部にそれぞれ、下方に突出する筒部５３が設けられている。把持部５１は、第一実施形態では合成樹脂またはエラストマーにより、筒部５３も一体に形成されるが、これ以外の材質で形成されてもよい。筒部５３には、図１３（ａ）に示すように、内部に下方に突出する被嵌部５３ａが設けられている。そして、筒状をした取付脚部５２の上端が被嵌部５３ａに被嵌され、筒部５３内に嵌入されて、把持部５１と取付脚部５２とが固定される。取付脚部５２の下端には、キャップ５４が被せられ、開口が閉塞される。取付脚部５２は、強度および剛性の確保の観点から、ステンレスやアルミニウムをはじめとする金属で形成されることが好ましいが、特に限定されない。取付脚部５２には、上下に複数個、前後に貫通する取付孔５２ａが設けられている。
【００２７】
第一実施形態では、取付脚部５２が第一の側片４１に固定されることで、手摺部５が連結部４に設けられるが、取付脚部５２が第二の側片４２または連結片４３に固定されてもよい。また、浴槽用手摺り１が取付脚部５２を備えなくてもよい。
【００２８】
浴槽用手摺り１は、図１乃至図４、図１４に示すように、支持脚６を備えてもよい。支持脚６は、床面に載置される接地部６２を備えていればよく、形状等は特に限定されない。
【００２９】
第一実施形態では、支持脚６は、図１４に示すように、接地部６２を下端に有する支持柱６１が第一の側片４１に固定されることで、連結部４に設けられるが、支持柱６１が第二の側片４２または連結片４３に固定されてもよい。なお、浴槽用手摺り１が支持脚６を備えなくてもよく、支持脚６は任意の構成である。
【００３０】
支持柱６１は、前側の支持柱６１ａと後側の支持柱６１ｂとが前後に連結されて構成されている。そして、支持柱６１の下端部には、接地部６２が設けられる。接地部６２は、洗い場の床面や浴槽の底面、これら床面や底面等に載置された底上げ部材等に載置可能であり、載置される箇所は限定されない。
【００３１】
支持柱６１には、前後に貫通する固着具挿通孔（不図示）が形成されている。そして、前後に貫通する固着具挿通孔（不図示）が形成されたブラケット６３の固着具挿通孔と支持柱６１の固着具挿通孔に固着具６４が挿通されて、固着具６４が第一の側片４１に固定されることで、支持柱６１が連結部４に固定される。
【００３２】
上記押圧部２、押圧受け部３、連結部４、手摺部５、支持脚６の材質は、特に限定されず、樹脂、金属、木質材等をはじめ様々な材質が適宜利用可能であり、また、複数種の材質が複合されたものでもよい。
【００３３】
浴槽用手摺り１は、図１乃至図４、図１５に示すように、位置調節部７を備える。位置調節部７は、連結部４に設けられ、連結部４に対する押圧部２の位置を、押圧受け部３に近接または離反する方向に移動させるものである。以下、第一実施形態の位置調節部７について、図１５（ｂ）に基いて説明する。
【００３４】
前後方向を長手方向とする押圧部取付軸７０の一端部に、ハンドルノブ取付部７１が設けられる。ハンドルノブ取付部７１は、中心側の断面六角形状をした角軸部７２と、先端側の断面円形状をした丸軸部７３と、を備えている。また押圧部取付軸７０の他端部に、押圧部取付部７４が形成されている。また押圧部取付軸７０には、表面に雄ねじ部７０ａが形成されている。
【００３５】
筒状に形成されるハンドルノブ７５の内部には、頭隠し用孔、最も小径に形成される空転用丸孔、空転用丸孔より大径の座金収容孔、更に大径の八角形状に形成される座金受け収容孔が順に形成される。座金収容孔には座金７６が収容される。また、座金受け収容孔に、外周が八角形状で内周が円形状の環状をした可動側ロック座金受け７７が嵌入されて固定されている。可動側ロック座金受け７７には、その内周の円形状をした孔を囲むように周方向に複数のピン孔が形成されている。
【００３６】
円環状をしたトルクロック座金７８の片面の外周部には、ロック突部７９が周方向に複数突設されており、隣接するロック突部７９間に係合凹部が形成される。各ロック突部７９は、周方向に向けて表面から斜めに立ち上がる傾斜部と、傾斜部の上端と連続しトルクロック座金の表面と平行な平行部と、を備えている。またトルクロック座金７８には、周方向に複数のピン孔が形成されている。トルクロック座金７８は、ロック突部７９が形成された面が外側になるように可動側ロック座金受け７７の片面に配置される。トルクロック座金７８は、そのピン孔と可動側ロック座金受け７７のピン孔とにピン８０が圧入されることによって、周方向への回り止めがなされた状態で、可動側ロック座金受け７７に取り付けられる。
【００３７】
固定側ロック座金受け８１は、内周が六角孔状をした角孔となる筒状に形成される。固定側ロック座金受け８１の片面には、内周の角孔を囲むようにロック座金収納凹部が凹設される。前記ロック座金収納凹部には、前記角孔を囲むように複数のピン孔が形成される。トルクロック座金７８は、ロック突部７９が形成された面が外側になるようにロック座金収納凹部内に配置される。トルクロック座金７８は、そのピン孔と固定側ロック座金受け８１のピン孔とにピン８０が圧入されることによって、周方向への回り止めがなされた状態で、固定側ロック座金受け８１に取り付けられる。
【００３８】
トルクロック座金７８を収納した固定側ロック座金受け８１は、ハンドルノブ取付部７１に被挿されて、内周の角孔が角軸部７２に嵌め合わされて、ハンドルノブ取付部７１に取り付けられる。固定側ロック座金受け８１は、トルクロック座金７８を収納した面がハンドルノブ取付部７１の先端側を向くように配置され、角孔と角軸部７２の嵌め合わせによって、回転しない状態に固定される。
【００３９】
可動側ロック座金受け７７が嵌め合わされハンドルノブ７５は、ハンドルノブ取付部７１にその先端から被挿されて、丸軸部７３に取り付けられる。ハンドルノブ７５の空転用丸孔と可動側ロック座金受け７７の内周の孔が丸軸部７３の外周を回ることによって回動自在になっている。そして、頭隠し用孔に座金８２が配置され、固定ねじ８３が押圧部取付軸７０の一端面に形成された雌ねじ孔（不図示）にねじ込まれて、ハンドルノブ７５の抜け止めが行われる。頭隠し用孔にはキャップ８４が嵌め込まれ、固定ねじ８３を隠している。
【００４０】
ハンドルノブ７５に装着された可動側ロック座金受け７７には、トルクロック座金７８が設けられ、ハンドルノブ７５がハンドルノブ取付部７１に取り付けられる。これにより、可動側ロック座金受け７７のトルクロック座金７８は、固定側ロック座金受け８１に収納されたトルクロック座金７８に対向して相互に噛み合っている。すなわち、固定側ロック座金受け８１のトルクロック座金７８のロック突部７９と、可動側ロック座金受け７７のトルクロック座金７８の係合凹部とが、相互に嵌まり合って噛み合っている。このトルクロック座金７８、７８の噛み合いによって、ハンドルノブ７５が回し操作される際の回動力が押圧部取付軸７０に伝わり、押圧部取付軸７０を回すことができるものである。また、ハンドルノブ７５を回し操作する際の回動力が過大な力であると、固定側ロック座金受け８１のトルクロック座金７８と可動側ロック座金受け７７のトルクロック座金７８の傾斜部が互いに滑って、ロック突部７９と係合凹部との係合による噛み合いが外れる。そして固定側ロック座金受け８１のトルクロック座金７８の平行部の上に可動側ロック座金受け７７のトルクロック座金７８の平行部が乗り上げる。これにより、固定側ロック座金受け８１のトルクロック座金７８に対して可動側ロック座金受け７７のトルクロック座金７８が空転する。これに伴い、ハンドルノブ７５も空転用丸孔の外周を空転し、ハンドルノブ７５を回し操作する回動力がボルト軸に伝わらないようにすることができる。上記一対のトルクロック座金７８がハンドルノブ７５と押圧部取付軸７０の間に設けられることで、回動伝達遮断機構が形成される。すなわち、回動伝達遮断機構は、所定の力以下ではハンドルノブ７５から押圧部取付軸７０に回動力が伝達され、所定の力を超えるとハンドルノブ７５から押圧部取付軸７０に回動力が伝達されないようにする。
【００４１】
次に、第一実施形態の押圧部２、押圧受け部３、連結部４について更に説明する。押圧部２は、図３、図４、図６に示すように、当接面２１の下側に、当接面２１よりも第一の側面から離れる方（前方Ｆ）に位置する、予備面２２を備えている。なお、第一実施形態では予備面２２が設けられているが、特に予備面２２は設けられなくてもよい。
【００４２】
連結片４３は、第一の連結片４３ａと第二の連結片４３ｂと、を備え、これらは別部材からなり、互いに相対位置が可変となるように構成されている。浴槽用手摺り１は、図１０に示す第一の連結片４３ａ側の押圧側可動部１ａと、図１２に示す第二の連結片４３ｂ側の受け側可動部１ｂとで構成されている。
【００４３】
押圧側可動部１ａは、図１０に示すように、第一の側片４１および第一の連結片４３ａからなる連結部４と、連結部４に設けられる位置調節部７、手摺部５、支持脚６と、位置調節部７を介して連結部４に設けられる押圧部２と、を備える。押圧側可動部１ａのうち、手摺部５および支持脚６を除いた残りを押圧部ユニット１１とする。図１１に示すように、押圧部ユニット１１の第一の側片４１には、左右両側に、前後に貫通する固着具挿通孔４１ａが上下に設けられている。手摺部５の取付脚部５２には、上述したように上下に複数の取付孔５２ａが設けられており、任意に選択されたいずれかの取付孔５２ａと、固着具挿通孔４１ａが連通する状態で、固着具（不図示）が取付孔５２ａに挿通されて固着具挿通孔４１ａに螺着される。複数の取付孔５２ａより任意に選択されることにより、手摺部５が上下に位置調整可能となる。なお、第一実施形態では、上下に複数の取付孔５２ａが設けられているが、取付孔５２ａが単数で固着具挿通孔４１ａが複数もうけられてもよい。
【００４４】
また図１１に示すように、第一の側片４１には、位置調節部取付孔４１ｂが設けられている。位置調節部取付孔４１ｂには、雌ねじ部（不図示）が設けられる。この雌ねじ部は、位置調節部取付孔４１ｂの内面にねじが直接形成されてもよいし、別体の雌ねじ部材（不図示）が設けられてもよい。前記雌ねじ部に、押圧部取付軸７０の雄ねじ部７０ａが螺合する。そして、ハンドルノブ７５が回転され、所定の力以下で押圧部取付軸７０に回動力が伝達され、押圧部取付軸７０が第一の側片４１に対して前後に移動する。押圧部取付軸７０の他端部の端面に形成されている押圧部取付部７４に、押圧部２が取り付けられる。このため、押圧部取付軸７０が第一の側片４１に対して前後に移動することで、押圧部２が第一の側片４１に対して前後に移動することになる。
【００４５】
押圧部２は、押圧部取付部７４に、姿勢すなわち向きが可変となるように支持されている。これにあたっては、例えば、押圧部２が球部を有するとともに、押圧部取付部７４が前記球部を受ける受け部を有し、球部が受け部に受けられて、押圧部２と押圧部取付部７４とが連結される。このとき、押圧部２は、押圧部取付部７４（すなわち第一の側片４１）に対して三次元の任意の方向の軸回りに回転可能となる。また、押圧部２が、押圧部取付部７４に対して、自在継手等により二軸回りにそれぞれ回転可能となるように、支持されてもよい。また、押圧部２が、押圧部取付部７４に対して、ヒンジ等により一軸回りにのみ回転可能となるように、支持されてもよい。押圧部２は、押圧部取付部７４（すなわち第一の側片４１）に対して、自在継手やヒンジをはじめとする様々な継手等により、適宜、姿勢が可変となるように支持してもよい。
【００４６】
このように、押圧部２が第一の側片４１に対する姿勢が可変となるように形成されると、浴槽の第一の側面が傾斜していても、傾斜した第一の側面に沿って押圧部２が当接することが可能となる。
【００４７】
第一実施形態では、図６に示すように、押圧部２の当接面２１の下端は、連結片４３より下方８ｃｍ位置Ｄ８よりも上側に位置するもので、更には、下方５ｃｍ位置よりも上側に位置することが好ましい。
【００４８】
押圧部２の当接面２１は、浴槽の側壁の第一の側面の上端部付近に当接する。図１６に示すように、浴槽（図中のＢＴ）は、近年、金属製浴槽やセメント浴槽だけではなく、浴室ユニットと一体的に形成される樹脂製のものが多くなっている。そして、樹脂製の浴槽の側壁（図中のＢＷ）の大部分は、第一の側面を有する側壁部と第二の側面を有する側壁部との間に空洞が存在し、これらの側壁部は、浴槽の上端のフランジ部（図中のＢＷ１）にて連結される構成になっている。このため、押圧部２と押圧受け部３との当接箇所が下方へ行く程、両側壁部の支点（すなわち連結されているフランジ部）からの距離が長くなり、支点にかかる曲げモーメントが大きくなって撓みが増大する。そこで、浴槽の側壁の押圧部２と押圧受け部３との当接箇所が上方へ行く程、支点にかかる曲げモーメントが小さくて済む。このため、浴槽用手摺り１が側壁に取り付けられた時に、側壁の上端面上に位置する連結片４３に対して、押圧部２と押圧受け部３のうちのいずれか一方または両方の当接箇所をできるだけ上方に設定するものである。
【００４９】
第一実施形態では、上述したように押圧部２の当接面２１の下端が連結片４３より下方８ｃｍ位置Ｄ８（好ましくは５ｃｍ位置）より上側としているが、下方７ｃｍ、６ｃｍ、更には下方４ｃｍ、３ｃｍ、２ｃｍでもよい。樹脂製の浴槽は、第一の側面を有する側壁部が、浴槽の側壁の上端面より下方３〜４ｃｍ位置まで設けられ、その下側に別体のエプロン（図１６中のＢＥ）が取り付けられることが多い。このような場合には、押圧部２の第一の側面への当接箇所が、浴槽の側壁の上端面から下方４ｃｍ位置よりも下方に位置すると、エプロンにかかってしまい、浴槽用手摺り１が浴槽の側壁に強固に取り付けられ難くなるおそれがある。そこで、押圧部２の当接面２１の下端が連結片４３より下方４ｃｍ、３ｃｍ、２ｃｍとなることがより一層好ましい。
【００５０】
第一実施形態では、図６に示すように、押圧受け部３の当接面３１の下端は、押圧部２の当接面２１の下端よりも下方に位置している。押圧受け部３の当接面３１の上下長さは、押圧部２の当接面２１の上下長さよりも長い。また図９に示すように、押圧部２の当接面２１の左右長さは、押圧受け部３の当接面３１の左右長さよりも長い。
【００５１】
なお、浴槽用手摺り１は、図１６に示すように、カバー１２を備えてもよい。カバー１２は、第一の連結片４３ａの上側を覆うもので、下方に開口する略箱状をしたものである。カバー１２は、特に材質は限定されないが、樹脂で形成されることが好ましい。可撓性を有する樹脂で形成されることにより、装着が容易となる。カバー１２の下端の開口の端縁部には、内側に突出する抜止部（不図示）が形成され、この抜止部が第一の連結片４３ａの下側に入り込んでカバー１２の第一の連結片４３ａからの抜け止めがなされる。
【００５２】
また図１１に示すように、第一の側片４１の前面および第一の連結片４３ａの上面には、第一リブ４４が設けられている。第一リブ４４は、左右両側において、第一の連結片４３ａの上面を前後に伸びるとともに、第一の側片４１の前面を上下に伸びるものである。この左右の第一リブ４４の間には溝４５が形成され、この溝４５に第二の連結片４３ｂが挿入される。また図１１に示すように、第一の連結片４３ａ（溝４５の底部）には、上下に貫通する取付孔４６ａが前後に複数設けられている。
【００５３】
また図８、図９に示すように、第一の連結片４３ａには、押圧部２および押圧受け部３よりも左右の外側にそれぞれ突出する突出部４７（４７ａ、４７ｂ）が設けられている。この突出部４７ａ、４７ｂにより、浴槽の側壁に取り付けられた浴槽用手摺り１が、左右方向に傾くのが抑制される。また、突出部４７には、左右方向を長手方向とする第二リブ４８が、前後方向に複数設けられている。
【００５４】
受け側可動部１ｂは、図１２に示すように、第二の側片４２および第二の連結片４３ｂからなる連結部４と、連結部４に設けられる押圧受け部３と、を備え、これらが押圧受け部ユニットを構成している。第二の側片４２の前側には、押圧受け部３が、姿勢が可変となるように支持されている。これにあたっては、上述したように、三次元の任意の方向の軸回りに回転可能、自在継手等により二軸回りにそれぞれ回転可能、ヒンジ等により一軸回りにのみ回転可能となるように、支持されてもよい。これにより、押圧受け部３が第二の側片４２に対する姿勢が可変となるように形成されると、浴槽の第二の側面が傾斜していても、傾斜した第二の側面に沿って押圧受け部３が当接することが可能となる。
【００５５】
また図１２に示すように、第二の側片４２の後側には、把手部４９が設けられている。また、第二の連結片４３ｂには、上下に貫通する取付孔４６ｂが設けられている。上述したように、第一の連結片４３ａには、前後に複数の取付孔４６ａが設けられており、任意に選択されたいずれかの取付孔４６ａと、取付孔４６ｂが連通する状態で、固着具（不図示）が取付孔４６ｂに挿通されて取付孔４６ａに螺着される。複数の取付孔４６ａより任意に選択されることにより、第一の連結片４３ａと第二の連結片４３ｂとの間の距離が調整可能となる。なお、第一実施形態では、複数の取付孔４６ａが設けられているが、取付孔４６ａが単数で取付孔４６ｂが複数設けられてもよい。
【００５６】
また第一実施形態では、図１１、図１２に示すように、押圧部２の当接面２１と押圧受け部３の当接面３１に、滑り止め部材８が設けられる。すなわち、滑り止め部材８が直接的な当接面２１、３１を構成する。滑り止め部材８は、第一の側面、第二の側面に対する摩擦係数が、滑り止め部材８がない場合よりも向上するもので、エラストマ等により形成されるが、材質は特に限定されない。滑り止め部材８が設けられることにより、浴槽用手摺り１が浴槽の側壁により一層強固に取り付けられる。
【符号の説明】
【００５７】
１    浴槽用手摺り
１ａ  押圧側可動部
１ｂ  側可動部
１１  押圧部ユニット
１２  カバー
２    押圧部
２１  当接面
２２  予備面
３    押圧受け部
３１  当接面
４    連結部
４１  側片
４１ａ  固着具挿通孔
４１ｂ  位置調節部取付孔
４２  側片
４３  連結片
４４  第一リブ
４５  溝
４６ａ  取付孔
４６ｂ  取付孔
４７  突出部
４８  第二リブ
４９  把手部
５    手摺部
５１  把持部
５２  取付脚部
５２ａ  取付孔
５３  筒部
５３ａ  被嵌部
５４  キャップ
６    支持脚
６１  支持柱
６２  接地部
６３  ブラケット
６４  固着具
７    位置調節部
７０  押圧部取付軸
７０ａ  雄ねじ部
７１  ハンドルノブ取付部
７２  角軸部
７３  丸軸部
７４  押圧部取付部
７５  ハンドルノブ
７６  座金
７７  可動側ロック座金受け
７８  トルクロック座金
７９  ロック突部
８０  ピン
８１  固定側ロック座金受け
８２  座金
８３  固定ねじ
８４  キャップ
９    滑り止め部材
【図１】
2018198962.tif 000003
【図２】
2018198962.tif 000004
【図３】
2018198962.tif 000005
【図４】
2018198962.tif 000006
【図５】
2018198962.tif 000007
【図６】
2018198962.tif 000008
【図７】
2018198962.tif 000009
【図８】
2018198962.tif 000010
【図９】
2018198962.tif 000011
【図１０】
2018198962.tif 000012
【図１１】
2018198962.tif 000013
【図１２】
2018198962.tif 000014
【図１３】
2018198962.tif 000015
【図１４】
2018198962.tif 000016
【図１５】
2018198962.tif 000017
【図１６】
2018198962.tif 000018